(57)【特許請求の範囲】
【請求項１】
カメラボディの背面左右いずれかの側に回転操作ダイヤルが配置され、カメラボディの上面の上記回転操作ダイヤルが配置された側にシャッタボタンが配置されたデジタルカメラにおいて、
上記背面の回転操作ダイヤルと上記上面との間に位置させて、上記回転操作ダイヤルに沿う背高部を有し、該背高部から上記上面側に向けて高さを減じるグリップ部材を設けたことを特徴とするデジタルカメラのグリップ部構造。
【請求項２】
請求項１記載のデジタルカメラのグリップ部構造において、上記グリップ部材の背高部は、上記回転操作ダイヤルより僅かに高いデジタルカメラのグリップ部構造。
【請求項３】
請求項１または２記載のデジタルカメラのグリップ部構造において、上記カメラボディの背面には、上記回転操作ダイヤルと上記上面との間に位置させて、凸部が形成されており、上記グリップ部材には、該凸部を嵌合させる孔部が形成されているデジタルカメラのグリップ部構造。
【請求項４】
請求項３記載のデジタルカメラのグリップ部構造において、上記凸部は、上記背面を構成する部材から突出形成した筒状部と、該筒状部内に押圧操作可能に配した、上記筒状部及び上記グリップ部材の孔部から突出した押しボタンスイッチであるデジタルカメラのグリップ部構造。
【請求項５】
請求項３または４記載のデジタルカメラのグリップ部構造において、上記グリップ部材の孔部は、上記背高部より低い部分に形成されているデジタルカメラのグリップ部構造。
【請求項６】
請求項１ないし５のいずれか１項記載のデジタルカメラのグリップ部構造において、上記回転操作ダイヤルは、カメラボディの高さ方向中央付近に位置し、上記グリップ部材はカメラボディの上面付近に位置しているデジタルカメラのグリップ部構造。
【請求項７】
請求項１ないし６のいずれか１項記載のデジタルカメラのグリップ部構造において、上記グリップ部材と上記カメラボディの背面を構成する部材の一方と他方には、少なくとも２箇所に互いに嵌合する凹部と凸部が形成されているデジタルカメラのグリップ部構造。
【請求項８】
請求項７記載のデジタルカメラのグリップ部構造において、上記少なくとも２カ所の凹部と凸部は、上記回転操作ダイヤルに沿って延びる長尺部と、円径部とを含んでいるデジタルカメラのグリップ部構造。
【発明の詳細な説明】
【技術分野】
【０００１】
本発明は、デジタルカメラのグリップ部構造に関する。
【背景技術】
【０００２】
コンパクトカメラ、一眼レフカメラを問わず、近時のデジタルカメラは、その背面中央の液晶画面の右側に、各種の撮影モードや操作を選択する回転操作ダイヤルを配置することが一般に行われている（特許文献１、２）。一方、カメラの上部には昔から、背面から見たときの右側に、シャッタボタンが配置されている。
【先行技術文献】
【特許文献】
【０００３】
【特許文献１】特開２００６-３０１３５４号公報
【特許文献２】特開２００６-１８６９３４号公報
【発明の概要】
【発明が解決しようとする課題】
【０００４】
このように回転操作ダイヤルとシャッタボタンが配置されたデジタルカメラを右手で保持するとき、カメラの背面から見た右側をグリップし、シャッタボタンに人差し指をかけるのが普通であり、このとき、親指あるいは掌が回転操作ダイヤルに触れる。このため、親指あるいは掌によって回転操作ダイヤルが誤操作されるおそれがあった。一般に回転操作ダイヤルは、操作性を容易にするために、ボディ背面より突出させるのが普通であるため、誤操作のおそれが増す。
【０００５】
本発明は、以上の問題意識に鑑みてなされたものであって、背面右側に回転操作ダイヤルを備え、上面右側にシャッタボタンを有するデジタルカメラにおいて、シャッタボタンに指を置いたグリップ状態における回転操作ダイヤルの誤操作のおそれが少ないデジタルカメラのグリップ部構造を得ることを目的とする。
【課題を解決するための手段】
【０００６】
本発明は、カメラボディの背面左右いずれかの側に回転操作ダイヤルが配置され、カメラボディの上面の上記回転操作ダイヤルが配置された側にシャッタボタンが配置されたデジタルカメラにおいて、上記背面の回転操作ダイヤルと上記上面との間に位置させて、上記回転操作ダイヤルに沿う背高部を有し、該背高部から上記上面側に向けて高さを減じるグリップ部材を設けたことを特徴とする。
【０００７】
上記グリップ部材の背高部は、上記回転操作ダイヤルより僅かに高いことが好ましい。
【０００８】
上記カメラボディの背面には、上記回転操作ダイヤルと上記上面との間に位置させて、凸部を形成し、上記グリップ部材には、該凸部を嵌合させる孔部を形成することが実際的である。
【０００９】
本発明のデジタルカメラのグリップ部構造において、上記凸部は、上記背面を構成する部材から突出形成した筒状部と、該筒状部内に押圧操作可能に配した、上記筒状部及び上記グリップ部材の孔部から突出した押しボタンスイッチとすることができる。
【００１０】
上記グリップ部材の孔部は、上記背高部より低い部分に形成することが好ましい。
【００１１】
本発明のデジタルカメラのグリップ部構造において、上記回転操作ダイヤルは、カメラボディの高さ方向中央付近に位置させ、上記グリップ部材はカメラボディの上面付近に位置させることができる。
【００１２】
上記グリップ部材と上記カメラボディの背面を構成する部材の一方と他方には、少なくとも２箇所に互いに嵌合する凹部と凸部を形成することができる。
上記少なくとも２カ所の凹部と凸部は、上記回転操作ダイヤルに沿って延びる長尺部と、円径部とを含むことができる。
【発明の効果】
【００１３】
本発明によれば、カメラボディの背面のグリップ部に設けた回転操作ダイヤルを誤回転させるおそれが少ない。
【図面の簡単な説明】
【００１４】
【図１】本発明を一眼レフデジタルカメラに適用した実施形態を示す、要部の背面斜視図である。
【図２】同実施形態のグリップ部材を装着する前の状態を示す背面図である。
【図３】図２のIII-III線に沿う、グリップ部材を装着した状態の断面図である。
【図４】（Ａ）、（Ｂ）、（Ｃ）及び（Ｄ）は同実施形態のグリップ部材単体を異なる方向から見た斜視図である。
【発明を実施するための形態】
【００１５】
図示実施形態は、本発明を一眼レフデジタルカメラに適用した実施形態である。カメラボディ１０は、前面ボディ（前面構成部材）１０Ａと背面ボディ（背面構成部材、機器本体背面）１０Ｂを備え、背面ボディ１０Ｂに大型のＬＣＤ画面１１を備え、ＬＣＤ画面１１の右隣りに、回転操作ダイヤル１２を備えている。この実施形態の回転操作ダイヤル１２は、正面円形のモードダイヤルであり、その内側に押しボタンスイッチ（群）１３が備えられている。回転操作ダイヤル１２は、その回転位置によってＭ（マニュアル）、ＴＡｖ（シャッタ及び絞り優先）、Ａｖ（絞り優先）、Ｔｖ（シャッタ優先）、Ｓｖ（ＩＳＯ感度優先）、Ｐ（プログラム）、ＡＵＴＯ（自動）、ＳＣＮ（シーン別）、Ｂ（バルブ）、人物、スポーツ等の露出モード、撮影モードを選択するスイッチであり、押しボタンスイッチ１３は、図示例では、中央のＯＫボタン１３ａと、ＯＫボタン１３ａの周辺のＩＳＯボタン、ドライブボタン、ホワイトバランスボタン及びフラッシュボタンを有する４方向ボタン（十字キー）１３ｂを有する複合スイッチである。
【００１６】
偏平な筒状をなす回転操作ダイヤル１２は、背面ボディ１０Ｂより突出しており、その外周面に操作者の指との摩擦を増やすギザギザなどの凹凸１２ａが形成されている。
【００１７】
カメラボディ１０には、その上面（背面ボディ１０Ｂと一体の部材）１０Ｕ上に、後方に位置する別の回転操作ダイヤル２１と、前方に位置するシャッタボタン２２とが配置されている。図示例では、上面１０Ｕは、カメラボディ１０の標準状態で水平面をなす。シャッタボタン２２は、前面ボディ１０Ａの上面に配置されている。回転操作ダイヤル２１は、例えばシャッタ速度、絞り値、再生画像の拡大／縮小、画像送りなどの選択操作に使用される。
【００１８】
回転操作ダイヤル１２は、図示実施形態では、カメラボディ１０の高さの略半分の直径を有し、やや円錐形状（フジツボ型）（図３）の大径部品であり、その上端部とカメラボディ１０の上面１０Ｕとの間には、回転操作ダイヤル１２の半径程度の隙間が存在している。この隙間には、背面ボディ１０Ｂから突出する凸部１４が位置している（図２）。凸部１４は、背面ボディ１０Ｂと一体に形成した筒状部１４ａと、この筒状部１４ａ内に押圧操作可能に支持した押しボタンスイッチ１４ｂからなっている。押しボタンスイッチ１４ｂは、この実施形態ではＡＦ及びＡＥロックスイッチであるが、他の機能を有するスイッチを設けることもできる。
【００１９】
回転操作ダイヤル１２とカメラボディ１０の上面１０Ｕの間には、背面ボディ１０Ｂに沿わせてゴム製のグリップ部材３０が設けられている。図４はグリップ部材３０の単体形状を示している。このグリップ部材３０は、回転操作ダイヤル１２の上部一部に円周方向及び高さ方向に非接触で沿う背高部３１と、該背高部３１から上面１０Ｕ側に向けて滑らかに高さを減じる肉厚変化部３２を有し、上面１０Ｕ側の縁部が最薄部３２ａになっている。背高部３１は、回転操作ダイヤル１２の円弧に沿う平面円弧の一部からなり、肉厚変化部３２は、その最も上面１０Ｕ側の縁部の厚さが最も薄い。背高部３１の高さは、回転操作ダイヤル１２の高さより僅かに高く、回転操作ダイヤル１２の操作性を確保している。背高部３１と回転操作ダイヤル１２の高さは同等ないし背高部３１の方を僅かに低くしてもよい。背高部３１には、回転操作ダイヤル１２の表面に設けられた文字、Ｐ、Ｍ、ＴＡｖ、Ａｖ等を合わせる指標３８が形成されている。この指標３８に合わせた文字の露出モードが選択される。
【００２０】
グリップ部材３０には、凸部１４の位置に対応させて孔部３３が形成されている。孔部３３は、背高部３１より低く最薄部３２ａより高い部分である段部３４に形成されている。この段部３４は、孔部３３から突出した押しボタンスイッチ１４ｂを使用者が親指１０１で押し込み操作可能な高さである。段部３４は肉厚変化部３２に滑らかに連なっており、ＬＣＤ画面１１側に向けて滑らかに高さを減じて（薄くなって）いる。なお孔部３３は、段部３４を形成せずに、高さが変化している肉厚変化部３２に形成してもよい。
【００２１】
また、背面ボディ１０Ｂには、グリップ部材３０との対向面に、グリップ部材３０が嵌る凹み部（凹部）１５（図２、図３）が形成されており、この凹み部１５に、回転操作ダイヤル１２の外周に沿う異形の長尺突起１６（図２、図３）と、２本の円形突起１７ａ、１７ｂ（図２）が形成されている。凹み部１５の底面は凹凸（段差）を有し、グリップ部材３０もこの凹凸に対応し、互いに嵌合する凸凹（段差）を有している。グリップ部材３０の背面ボディ１０Ｂとの対向面には、この長尺突起１６と円形突起１７ａ、１７ｂに嵌合する異形の長尺溝３６と２個の円形孔３７ａ、３７ｂが形成されている。２個の円形孔３７ａ、３７ｂは、回転操作ダイヤル１２側の角部付近に形成されている。グリップ部材３０は、円形孔３７ａ、３７ｂと円形突起１７ａ、１７ｂの嵌合により、回転操作ダイヤル１２近傍の角部と背面ボディ１０Ｂの結合が強固になっている。
【００２２】
グリップ部材３０は、背面ボディ１０ＢにＬＣＤ画面１１、回転操作ダイヤル１２及び押しボタンスイッチ１４ｂ等の部品が組付けられた後に組付けられる。グリップ部材３０は、孔部３３が凸部１４（筒状部１４ａ）に、長尺溝３６が長尺突起１６に、円形孔３７ａ、３７ｂが円形突起１７ａ、１７ｂに嵌合され、最後に全体が凹み部１５に嵌合される。またグリップ部材３０は、底面の凹凸部が凹み部１５の凸凹部に嵌合し、外周縁部が凹み部１５の周壁に密着係合される。このようにグリップ部材３０は背面ボディ１０Ｂに対して、複数の凹凸が嵌合することにより、位置決め精度が高く、縦横方向にずれ難く、かつ脱落し難い強固な結合構造となっている。
【００２３】
使用者は、撮影に際して、右手の掌１０３及び親指１０１と、中指、薬指及び小指（図示せず）でカメラボディ１０のグリップ部を握り、左手で撮影レンズを支えて、デジタルカメラ（カメラボディ１０）を被写体に対して構える。使用者は、この構えでは、右手の人差し指をシャッタボタン２２に添え、親指１０１を肉厚変化部３２の表面に載せる（図３）。この構えにおいて、親指１０１は、回転操作ダイヤル１２の表面を超えてグリップ部材３０の背高部３１と肉厚変化部３２に触れるが、回転操作ダイヤル１２の表面や凹凸１２ａ、段部３４から突出した押しボタンスイッチ１４ｂには触れることがなく、例え触れたとしても極軽く触れるだけである。使用者が親指１０１を動かして押しボタンスイッチ１４ｂを押圧操作し、あるいはシャッタボタン２２に添えた人差し指を動かしても、親指１０１は肉厚変化部３２及び背高部３１表面に沿って移動し、回転操作ダイヤル１２の凹凸１２ａに掛かることがないので、回転操作ダイヤル１２を誤って回転させたり、押しボタンスイッチ１４ｂを誤って押圧することがない。使用者は、親指１０１を回転操作ダイヤル１２の３時または９時位置付近まで移動してグリップ部材３０から外せば、指先を凹凸１２ａに掛けて回転操作ダイヤル１２を容易に回転操作できる。
【００２４】
以上のように本実施形態のデジタルカメラのグリップ構造によれば、カメラボディ１０の背面のグリップ部に大型の回転操作ダイヤル１２を装着しても、撮影の際にカメラボディ１０を握る親指により回転操作ダイヤル１２が誤って回転操作されることも押しボタンスイッチ１４ｂが誤って押圧操作されることがなく、カメラボディ１０の小型化と操作性向上の両方を実現できる。
【００２５】
回転操作ダイヤル１２の誤回転操作を防止するために、外装（カメラボディ１０Ｂ）で回転操作ダイヤル１２を囲うグリップ部材を設けた場合、回転操作ダイヤル１２の側面（外周面）が円錐形状の場合、外装の型構成および回転操作ダイヤル１２の組み立て上、外装を回転操作ダイヤル１２の側面に沿う形状にできないので外装と側面との間に隙間ができてしまい、誤操作防止効果が落ちる。
【００２６】
以上の実施形態では、回転操作ダイヤル１２とレリーズスイッチ２２を、カメラボディ１０を背面から見て右側に設けたが、カメラボディ１０の左側に設けてもよい。
以上の実施形態では、背面ボディ１０Ｂの回転操作ダイヤル１２と上面１０Ｕとの間であって、カメラボディの側面近傍に位置させて１個の凸部１４を形成し、グリップ部材３０の一方の端部に凸部１４と嵌合する孔部３３を設けたが、凸部１４と孔部３３は、グリップ部材３０の他方の端部、または両方の端部の２箇所に設けてもよい。以上の実施形態では円形孔３７ａ、３７ｂと円形突起１７ａ、１７ｂを設けたが、これらの断面形状は円形でなくてもよく、四角形、六角形などの多角形でもよく、数も限定されない。
【符号の説明】
【００２７】
１０  カメラボディ
１０Ｂ  背面ボディ
１０Ｕ  上面
１１  ＬＣＤ画面
１２  回転操作ダイヤル
１３  押しボタンスイッチ（群）
１４  凸部
１４ａ  筒状部
１４ｂ  押しボタンスイッチ
１５  凹み部
１６  長尺突起
１７ａ  １７ｂ  円形突起
２１  回転操作ダイヤル
２２  シャッタボタン
３０  グリップ部材
３１  背高部
３２  肉厚変化部
３２ａ  最薄部
３３  孔部
３４  段部
３６  長尺溝
３７ａ  ３７ｂ  円形孔
３８  ダイヤル指標
１０１  親指
１０３  掌
【図１】
0006344141.tif 000002
【図２】
0006344141.tif 000003
【図３】
0006344141.tif 000004
【図４】
0006344141.tif 000005